(57)【要約】【課題】関連するアプリケーションソフトを情報機器側が有していなくても容易に使用することができるとともに、関連するアプリケーションソフトを情報機器側のストレージに格納する必要がなく、利便性を大幅に向上させることが可能なデジタルカメラの提供。【解決手段】デジタルカメラ１に内蔵されたフラッシュメモリー２０を、メモリーコントローラー４０によってＲＯＭ領域２２とＲＡＭ領域２４に区画して制御するとともに、ＲＯＭ領域２２には予め撮像した画像データを情報機器側で扱うためのアプリケーションソフトを格納しておく。【選択図】      図１
2004208246.tif 000002
【特許請求の範囲】
【請求項１】
フラッシュメモリーの制御方法であって、
情報の読み出し、書き込み及び削除の全てを実行可能な第１の領域と、
情報を読み出すことのみ実行可能な第２の領域と
に分けて制御することを特徴とするフラッシュメモリー制御方法。
【請求項２】
前記第１の領域と前記第２の領域を、異なるファイルシステムによって管理することを特徴とする請求項１に記載のフラッシュメモリー制御方法。
【請求項３】
前記第１の領域をＦＡＴファイルシステムによって管理するとともに、前記第２領域をＩＳＯ９６６０ファイルシステム及び／又はＨＦＳによって管理することを特徴とする請求項１又は２に記載のフラッシュメモリー制御方法。
【請求項４】
デジタルカメラであって、
撮像手段と、
前記撮像手段によって撮像した画像を所定の圧縮形式のデジタル信号に変換する画像処理手段と、
フラッシュメモリーと、
前記フラッシュメモリーをＲＯＭ領域とＲＡＭ領域に区画して制御するメモリーコントローラーと、
外部の情報機器に画像データを転送可能とする画像データ転送手段と、
を有することを特徴とするデジタルカメラ。
【請求項５】
前記フラッシュメモリーのＲＯＭ領域に、撮像した画像データを情報機器側で扱うためのアプリケーションソフトが格納されていることを特徴とする請求項４に記載のデジタルカメラ。
【請求項６】
前記フラッシュメモリーに格納される撮像した画像データを情報機器側で扱うためのアプリケーションソフトが、画像ビューワーソフト、画像加工ソフト、画像管理ソフト、画像圧縮伸張ソフト、画像フォーマット変換ソフト、オンライン写真プリント注文ソフトのうち何れかであることを特徴とする請求項４又は５に記載のデジタルカメラ。
【請求項７】
前記ＲＡＭ領域をＦＡＴファイルシステムによって管理するとともに、前記ＲＯＭ領域をＩＳＯ９６６０ファイルシステム及び／又はＨＦＳによって管理することを特徴とする請求項４又は５又は６に記載のデジタルカメラ。
【発明の詳細な説明】
【０００１】
【発明の属する技術分野】
本発明は、デジタルカメラに係り、特に、フラッシュメモリーを内蔵するデジタルカメラに関する。
【０００２】
【従来の技術】
近年、撮像した画像をデジタルデータ化して、半導体メモリーや磁気ディスクに保存することにより、撮像した画像の保存や受け渡し、プリントなどを可能とするデジタルカメラが使用されている。（例えば、特許文献１、特許文献２）。このようなデジタルカメラにおいては、ＵＳＢケーブルやメモリーカード等の送信手段によって、パソコンやＰＤＡなどの情報機器に画像データを送信することにより、パソコンやＰＤＡ側の撮像した画像データを扱うためのアプリケーションソフトによって画像を見たり、画像データを加工したりすることを可能としている。
【０００３】
この場合に、パソコンやＰＤＡ側ではアプリケーションソフトとして、デジタルカメラから送られた画像データによる画像を見る場合には所謂「画像ビューワーソフト」が使用され、撮像した画像のサイズ変更や色調調整などを行う場合には所謂「画像加工ソフト」が使用され、撮像した画像データのファイリングやアルバム作りなどを行うには所謂「画像管理ソフト」が使用され、画像データの圧縮や圧縮された画像データの伸張を行う場合には所謂「画像圧縮伸張ソフト」が使用され、画像データのフォーマットを変換する場合には所謂「画像フォーマット変換ソフト」が使用され、オンラインを通じて所定の業者に写真プリントの注文を行う場合には所謂「オンライン写真プリント注文ソフト」が使用されている。
【０００４】
【発明が解決しようとする課題】
しかし、そのようなデジタルカメラにおいては、撮像した画像データを扱うための上述したようなアプリケーションソフト（以下単にアプリケーションソフトと称する）を情報機器側が有していない場合には、別途ＣＤ−ＲＯＭやフレキシブルディスクなどの媒体から取り込むか、Ｗｅｂページからダウンロードする必要がある。そのため、通常ＣＤ−ＲＯＭやフレキシブルディスクのドライブを有していないＰＤＡなどにおいては、それらのディスクから取り込むのは困難であるとともに、Ｗｅｂページに必要なアプリケーションソフトがアップされていなければ、そのようなアプリケーションソフトを容易に使用することができなかった。さらに、アプリケーションソフトは、当該デジタルカメラを使用しない場合であっても、利便性のため情報機器側のハードディスクなどのストレージに格納されているため、情報機器側のストレージに負担がかかり、記憶領域を無駄に使用していた。
【０００５】
そこで、本発明は、デジタルカメラに内蔵されたフラッシュメモリーをＲＯＭ領域とＲＡＭ領域に区画し、該ＲＯＭ領域に関連するアプリケーションソフトを予め格納しておくことにより、関連するアプリケーションソフトを情報機器側が有していなくても容易に使用することができるとともに、関連するアプリケーションソフトを情報機器側のストレージに格納する必要がなく、利便性を大幅に向上させることが可能なデジタルカメラを提供することを目的とする。なお、フラッシュメモリーをＲＯＭ領域とＲＡＭ領域に区画して制御する技術としては、本出願人による特許出願（特許文献３）に開示されている技術によって実現可能である。
【特許文献１】特開２０００−３５８１７７号
【特許文献２】特開２０００−３４１６３６号
【特許文献３】特願２００２−１５５６８４号
【０００６】
【課題を解決するための手段】
本発明は、前記問題点を解決するために創作されたものであって、第１には、フラッシュメモリーの制御方法であって、情報の読み出し、書き込み及び削除の全てを実行可能な第１の領域と、情報を読み出すことのみ実行可能な第２の領域とに分けて制御することを特徴とする。
【０００７】
この第１の構成のフラッシュメモリーの制御方法においては、フラッシュメモリーを情報の読み出し、書き込み及び削除の全てを実行可能な第１の領域と、情報を読み出すことのみ実行可能な第２の領域とに分けて制御するため、第１の領域に書き込まれたソフトウェアが誤って消去されてしまうことがないとともに、第２の領域には自由に書き込みを行うことができるため、利便性が大幅に向上する。
【０００８】
また、第２には、前記第１の構成のフラッシュメモリー制御方法において、前記第１の領域と前記第２の領域を、異なるファイルシステムによって管理することを特徴とする。
【０００９】
この第２の構成のフラッシュメモリーの制御方法においては、前記第１の領域と前記第２の領域を、異なるファイルシステムによって管理するため、書き込み／読み出し／削除が、異なる手段（ソフト）によるものとなるため、一方の領域には書き込み／読み出し／削除の何れかをできないようにすることができるとともに、一方の領域をユーザーから見えないようにすることも可能となる。
【００１０】
また、第３には、前記第１又は２の構成のフラッシュメモリー制御方法において、前記第１の領域をＦＡＴファイルシステムによって管理するとともに、前記第２領域をＩＳＯ９６６０ファイルシステム及び／又はＨＦＳによって管理することを特徴とする。
【００１１】
この第３の構成のフラッシュメモリーの制御方法においては、前記第１の領域をＦＡＴファイルシステムによって管理するとともに、前記第２の領域をＩＳＯ９６６０ファイルシステム及び／又はＨＦＳによって管理している。そのため、第１の領域がＦＡＴファイルシステムによって管理されるため、情報機器側にリムーバルディスクとして認識させることができ、また第２の領域がＩＳＯ９６６０ファイルシステムによって管理されているため、情報機器側にＣＤ−ＲＯＭドライブとして認識させることができる。そのため、第１の領域には通常のリムーバルディスクとしてアクセスすることができ、また、第２の領域に実行ファイルを書き込むことで、自動再生機能である所謂「オートラン（ＡＵＴＯ  ＲＵＮ）」を情報機器に行わせることが可能となる。
【００１２】
また、第４には、デジタルカメラであって、撮像手段と、前記撮像手段によって撮像した画像を所定の圧縮形式のデジタル信号に変換する画像処理手段と、フラッシュメモリーと、前記フラッシュメモリーをＲＯＭ領域とＲＡＭ領域に区画して制御するメモリーコントローラーと、外部の情報機器に画像データを転送可能とする画像データ転送手段と、を有することを特徴とする。
【００１３】
また、第５には、前記第４の構成のデジタルカメラにおいて、前記フラッシュメモリーのＲＯＭ領域に、撮像した画像データを情報機器側で扱うためのアプリケーションソフトが格納されていることを特徴とする。
【００１４】
この第４又は第５の構成のデジタルカメラにおいては、前記フラッシュメモリーがＲＯＭ領域とＲＡＭ領域に区画して制御されるため、前記ＲＯＭ領域に関連するアプリケーションソフトを予め格納しておくことにより、関連するアプリケーションソフトを情報機器側が有していなくても容易に使用することができるとともに、関連するアプリケーションソフトを情報機器側のストレージに格納する必要がないため、情報機器側のストレージへの負担がなく、記憶領域の有効利用を図ることが可能となる。また、関連するアプリケーションソフトは前記ＲＯＭ領域に格納されるため、誤って消去してしまうおそれがないとともに、前記ＲＡＭ領域側へは、撮像した写真データを格納することにより、写真データは自由に読み出し、消去が可能であるため、利便性が大幅に向上する。
【００１５】
また、第６には、前記第４又は５の構成のデジタルカメラにおいて、前記フラッシュメモリーに格納される撮像した画像データを情報機器側で扱うためのアプリケーションソフトが、画像ビューワーソフト、画像加工ソフト、画像管理ソフト、画像圧縮伸張ソフト、画像フォーマット変換ソフト、オンライン写真プリント注文ソフトのうち何れかであることを特徴とする。
【００１６】
また、第７には、前記第４又は５又は６の構成のデジタルカメラにおいて、前記ＲＡＭ領域をＦＡＴファイルシステムによって管理するとともに、前記ＲＯＭ領域をＩＳＯ９６６０ファイルシステム及び／又はＨＦＳによって管理することを特徴とする。
【００１７】
この第７の構成のデジタルカメラにおいては、前記ＲＡＭ領域をＦＡＴファイルシステムによって管理するとともに、前記ＲＯＭ領域をＩＳＯ９６６０ファイルシステム及び／又はＨＦＳによって管理している。そのため、ＲＡＭ領域がＦＡＴファイルシステムによって管理されるため、情報機器側にリムーバルディスクとして認識させることができ、またＲＯＭ領域がＩＳＯ９６６０ファイルシステム及び／又はＨＦＳによって管理されているため、情報機器側にＣＤ−ＲＯＭドライブとして認識させることができる。そのため、ＲＡＭ領域には通常のリムーバルディスクとしてアクセスすることができ、また、ＲＯＭ領域に実行ファイルを書き込むことで、自動再生機能である所謂「オートラン（ＡＵＴＯ  ＲＵＮ）」を情報機器に行わせることが可能となる。
【００１８】
【発明の実施の形態】
本発明の実施の形態としての実施例を、図面を利用して以下に説明する。本発明の実施例に基づくデジタルカメラ１は、図１に示すように、光学ユニット１０、画像処理部１６、フラッシュメモリー２０、ＭＰＵ（マイクロプロセッサユニット）３０、メモリーコントローラー４０、ＵＳＢコントローラー５０を有している。その他、必要に応じてストロボユニット、液晶ディスプレイ、メモリーカードリーダーライターユニット、電源ユニット等を備えている。
【００１９】
前記光学ユニット１０は、レンズ１２、ＣＣＤ受光部１４を有しており、レンズ１２を通して得られた被写体の画像を、ＣＣＤ受光部１４のＣＣＤ素子によって電気信号の画像データに変換する。前記画像処理部１６は、前記ＣＣＤ受光部１４からの画像データを、ＪＰＥＧ方式のＪＰＥＧデータに変換する。
【００２０】
前記フラッシュメモリー２０は、記憶保持動作が不要な半導体メモリーであり、メモリーコントローラー４０の指令に基づいてデータを指定されたアドレス位置に記憶する。また、指定されたアドレス位置のデータを取り出して、ＵＳＢコントローラー５０に送る。また、前記フラッシュメモリー２０は、記憶領域を前記メモリーコントローラー４０によってＲＯＭ領域２２とＲＡＭ領域２４とに区画して制御される。
【００２１】
そして、前記フラッシュメモリー２０のＲＯＭ領域２２には、撮像した画像データを情報機器側で扱うためのアプリケーションソフトである画像ビューワーソフト、画像加工ソフト、画像管理ソフト、画像圧縮伸張ソフト、画像フォーマット変換ソフト、及びオンライン写真プリント注文ソフトが格納されている。また、ＲＡＭ領域２４には、デジタルカメラ１によって撮像された画像データが保存される。
【００２２】
また、前記フラッシュメモリー２０内のＲＯＭ領域２２とＲＡＭ領域２４とは、異なるファイルシステムによって管理されている。具体的には、ＲＯＭ領域２２はＩＳＯ９６６０ファイルシステム又はＨＦＳによって管理され、ＲＡＭ領域２４はＦＡＴファイルシステムによって管理されている。ここで、ＩＳＯ９６６０ファイルシステムは、主にデータ用ＣＤ−ＲＯＭに使用されるファイルシステムであり、ＦＡＴファイルシステムは、主にＭＳ−ＤＯＳにおけるブロックデバイス（フレキシブルディスク、ハードディスク等）上のファイルを管理するためのシステムであり、またＨＦＳ（Ｈｉｅｒａｒｃｈｉｃａｌ  Ｆｉｌｅ  Ｓｙｓｔｅｍ）は、階層構造を使ってファイルを分類することにより、数多くのファイルがハードディスクにあってもフォルダでファイルを上手に整理できるとするものである。なお、ＩＳＯ９６６０ファイルシステムとＨＦＳ両方に対応したハイブリッド形式としてもよい。
【００２３】
前記ＭＰＵ３０は、上記各ユニットの状態を管理し、指令を行い、データの送受信を制御するなど、統括的な制御を行う。なお、本実施例では、画像処理部１６、メモリーコントローラー４０、ＵＳＢコントローラー５０などは、ＭＰＵ３０とは別構成の機能ブロックとしているが、それらの機能の一部を該ＭＰＵ３０に分担させたり、同一の機能ブロックとすることも可能である。
【００２４】
前記ＵＳＢコントローラー５０は、ＵＳＢインターフェース機能を有しており、外部の情報機器のＵＳＢホストコントローラーとの通信を制御し、入ってくるパケットの検出、パケットの送信、パケットＩＤの生成や解読、ＵＳＢシリアルデータとパラレルデータの変換などを行い、画像データや前記アプリケーションソフト等の送受信を行う画像データ転送手段である。また、送られたデータ及び送るデータを記憶するバッファを有しており、情報機器側のＵＳＢホストコントローラーとの通信上必要な処理の多くを自動的に行うとともに、ＵＳＢホストコントローラーからのリクエストに応答する。その他、エラー処理や電力管理などを行う。
【００２５】
次に、本実施例の使用状態を説明する。前記デジタルカメラ１によって図示略のシャッターボタンが押され撮影が行われると、前記レンズ１２を通して得られた被写体の画像がＣＣＤ受光部１４によって電気信号の画像データに変換され、前記画像処理部１６によって、ＪＰＥＧ方式で圧縮されたＪＰＥＧデータに変換される。そして、そのようにＪＰＥＧデータに変換された画像データは、前記フラッシュメモリー２０内のＲＡＭ領域２４に格納される。
【００２６】
そして、図２に示すように、前記デジタルカメラ１のＵＳＢポートにＵＳＢコネクタ２が装着され、情報機器であるＰＣ（パーソナルコンピューター）１００のＵＳＢポートにＵＳＢコネクタ４が装着されると、前記デジタルカメラ１はＰＣ１００とＵＳＢケーブル３によって接続され、ＰＣ１００がデジタルカメラ１の各ディスクリプタを取得し、アドレスのアサイン、コンフィグレーション、パイプの初期化などが行われて、エニュメレーション処理される。それにより、前記ＰＣ１００は、前記デジタルカメラ１のデバイスディスクリプタに記述されたベンダＩＤ、製品ＩＤ、またはＣｌａｓｓ，Ｓｕｂｃｌａｓｓから、デジタルカメラ１を認識する。これにより、前記ＰＣ１００と前記デジタルカメラ１とのＵＳＢパケット通信が可能となる。
【００２７】
また、上述したように、前記フラッシュメモリー２０内のＲＯＭ領域２２がＩＳＯ９６６０ファイルシステムによって管理されているため、ＰＣ１００等の情報機器に接続された場合には、情報機器側にＣＤ−ＲＯＭドライブとして認識させることができる。そのため、前記フラッシュメモリー２０内のＲＯＭ領域２２は、図３に示すように、ＰＣ１００のディスプレイ上にＣＤ−ＲＯＭドライブとして表示され、格納されているアプリケーションのフォルダが表示される。また、ＣＤ−ＲＯＭドライブとして認識されるため、ＲＯＭ領域２２に実行ファイルを書き込むことで、自動再生機能である所謂「オートラン（ＡＵＴＯ  ＲＵＮ）」を情報機器側に行わせることが可能となっている。
【００２８】
また、以上のように、前記フラッシュメモリー２０内のＲＯＭ領域２２とＲＡＭ領域２４とを、異なるファイルシステムによって管理することによって、書き込み／読み出し／削除が、異なる手段（ソフト）によるものとなるため、一方の領域には書き込み／読み出し／削除の何れかをできないようにすることができるとともに、一方の領域をユーザーから見えないようにすることも可能となる。
【００２９】
以上のように、フラッシュメモリー２０内をＲＯＭ領域２２とＲＡＭ領域２４とに区画することによって、ＲＯＭ領域２２に書き込まれたソフトウェア等は誤って消去されてしまうことがないとともに、ＲＡＭ領域２４には自由に書き込みを行うことができ、本実施例によるデジタルカメラ１は、今までに無い多様な実施態様、独特な効果を得ることが可能になる。
【００３０】
つまり、前記フラッシュメモリー２０のＲＯＭ領域２２には、上述したように、予め撮像した画像データを情報機器側で扱うためのアプリケーションソフトが格納されており、ＰＣ１００側はそのようなアプリケーションソフトを有していなくても、前記フラッシュメモリー２０のＲＯＭ領域２２から読み込むことにより容易に使用することができる。そのため、各フォルダ内のセットアップファイルを実行することにより、各アプリケーションソフトをＰＣ１００側にインストールすることが可能になる。
【００３１】
これに対して、従前の構成においては、デジタルカメラ機能に関するアプリケーションソフトである画像ビューワーソフト、画像加工ソフト、画像管理ソフト、画像圧縮伸張ソフト、画像フォーマット変換ソフト、オンライン写真プリント注文ソフトなどをＰＣ１００側が有していない場合には、別途ＣＤ−ＲＯＭやフレキシブルディスクなどの媒体から取り込むか、Ｗｅｂページからダウンロードする必要があるが、通常ＣＤ−ＲＯＭやフレキシブルディスクのドライブを有していないＰＤＡなどにおいては、それらのディスクから取り込むのは困難であるとともに、Ｗｅｂページに必要なアプリケーションソフトがアップされていなければ、そのようなデジタルカメラ機能に関するアプリケーションソフトを容易に使用することができなかった。
【００３２】
さらに、そのようなアプリケーションソフトは前記フラッシュメモリー２０のＲＯＭ領域２２に格納されるため、ユーザーによって誤って消去されてしまうおそれがないとともに、前記ＲＡＭ領域２４側へは、撮像した写真データを格納することにより、写真データは自由に読み出し、消去が可能である。そのため、利便性が大幅に向上し、顕著な効果を有するデジタルカメラとすることができる。また、アプリケーションソフトをＰＣ１００側のハードディスクなどのストレージに格納する必要がないため、情報機器側のストレージへの負担がなく、記憶領域の有効利用を図ることが可能となる。
【００３３】
なお、本技術は、上記実施例の構成のみに限定されるものではなく、多様な態様が可能である。例えば、本実施例によるデジタルカメラ１では、所定のデータ転送方式をＵＳＢ規格としているが、それのみに限定されるものではなく、ＩＥＥＥ１３９４規格や赤外線転送方式など、どのような方式であってもよい。
【００３４】
また、本実施例によるデジタルカメラ１では、前記フラッシュメモリー２０に格納されるデジタルカメラ機能に関するアプリケーションソフトを、画像ビューワーソフト、画像加工ソフト、画像管理ソフト、画像圧縮伸張ソフト、画像フォーマット変換ソフト、オンライン写真プリント注文ソフトとしているが、それのみに限定されるものではなく、映画作成ソフトや、年賀状画像プリントソフトなど、撮像した画像データを情報機器側で扱うためのアプリケーションソフトであればよい。
【００３５】
また、前記光学ユニット１０は、ＣＣＤ素子によるＣＣＤ受光部１４としているが、ＣＭＯＳイメージセンサによるものであってもよい。
【００３６】
【発明の効果】
本発明の請求項１に基づくフラッシュメモリー制御方法によれば、フラッシュメモリーを情報の読み出し、書き込み及び削除の全てを実行可能な第１の領域と、情報を読み出すことのみ実行可能な第２の領域とに分けて制御するため、第１の領域に書き込まれたソフトウェアが誤って消去されてしまうことがないとともに、第２の領域には自由に書き込みを行うことができるため、利便性が大幅に向上する。
【００３７】
また、特に、請求項２に基づくフラッシュメモリーの制御方法によれば、前記第１の領域と前記第２の領域を、異なるファイルシステムによって管理するため、書き込み／読み出し／削除が、異なる手段（ソフト）によるものとなるため、一方の領域には書き込み／読み出し／削除の何れかをできないようにすることができるとともに、一方の領域をユーザーから見えないようにすることも可能となる。
【００３８】
また、特に、請求項３に基づくフラッシュメモリーの制御方法によれば、前記第１の領域をＦＡＴファイルシステムによって管理するとともに、前記第２の領域をＩＳＯ９６６０ファイルシステム及び／又はＨＦＳによって管理している。そのため、第１の領域がＦＡＴファイルシステムによって管理されるため、情報機器側にリムーバルディスクとして認識させることができ、また第２の領域がＩＳＯ９６６０ファイルシステムによって管理されているため、情報機器側にＣＤ−ＲＯＭドライブとして認識させることができる。そのため、第１の領域には通常のリムーバルディスクとしてアクセスすることができ、また、第２の領域に実行ファイルを書き込むことで、自動再生機能である所謂「オートラン（ＡＵＴＯＲＵＮ）」を情報機器に行わせることが可能となる。
【００３９】
また、特に、請求項４又は５に基づくデジタルカメラによれば、前記フラッシュメモリーがＲＯＭ領域とＲＡＭ領域に区画して制御されるため、前記ＲＯＭ領域に関連するアプリケーションソフトを予め格納しておくことにより、関連するアプリケーションソフトを情報機器側が有していなくても容易に使用することができるとともに、関連するアプリケーションソフトを情報機器側のストレージに格納する必要がないため、情報機器側のストレージへの負担がなく、記憶領域の有効利用を図ることが可能となる。また、関連するアプリケーションソフトは前記ＲＯＭ領域に格納されるため、誤って消去してしまうおそれがないとともに、前記ＲＡＭ領域側へは、撮像した写真データを格納することにより、写真データは自由に読み出し、消去が可能であるため、利便性が大幅に向上する。
【００４０】
また、特に、請求項７に基づくデジタルカメラによれば、前記ＲＡＭ領域をＦＡＴファイルシステムによって管理するとともに、前記ＲＯＭ領域をＩＳＯ９６６０ファイルシステム及び／又はＨＦＳによって管理している。そのため、ＲＡＭ領域がＦＡＴファイルシステムによって管理されるため、情報機器側にリムーバルディスクとして認識させることができ、またＲＯＭ領域がＩＳＯ９６６０ファイルシステムによって管理されているため、情報機器側にＣＤ−ＲＯＭドライブとして認識させることができる。そのため、ＲＡＭ領域には通常のリムーバルディスクとしてアクセスすることができ、また、ＲＯＭ領域に実行ファイルを書き込むことで、自動再生機能である所謂「オートラン（ＡＵＴＯ  ＲＵＮ）」を情報機器に行わせることが可能となる。
【図面の簡単な説明】
【図１】本発明の実施例に基づくデジタルカメラの構成を示す構成図である。
【図２】デジタルカメラをパーソナルコンピューターにＵＳＢ接続した状態を示す説明図である。
【図３】デジタルカメラのストレージ機能によるディスプレイ上の表示例を示す説明図である。
【符号の説明】
１  デジタルカメラ
１０  撮像手段
１６  画像処理手段
２０  フラッシュメモリー
２２  ＲＯＭ領域
２４  ＲＡＭ領域
４０  メモリーコントローラー
５０  画像データ転送手段
【図１】
2004208246.tif 000003
【図２】
2004208246.tif 000004
【図３】
2004208246.tif 000005